(57)【要約】【課題】測定条件を入力させてノズルから液体を噴射される様子をシミュレーションするだけでなくノズルの特性も合わせて測定できるようなノズル特性シミュレーションプログラムを提供する。【解決手段】測定条件として噴射圧力、噴射流量、スプレー角度、噴射距離、スプレーパターンを入力させる処理と、入力された測定条件を演算処理することでノズルから液体が噴射される様子を３次元動画で表示させる処理と、ノズルから液体が噴射されるときのノズルの流量分布を演算して測定し、その結果を表示させる処理とをコンピュータに実行させる。好ましくは、流量分布の形状を入力させる処理を実行可能である。好ましくは、ノズルから液体が噴射されるときの衝突力分布と粒度分布を演算して測定し、その結果を表示させる処理を更に行う。【選択図】図１
2006119721.tif 000002
【特許請求の範囲】
【請求項１】
測定条件として噴射圧力、噴射流量、スプレー角度、噴射距離、スプレーパターンの各データを入力する処理と、
入力された測定条件を演算処理することでノズルから液体が噴射される様子を３次元動画で表示させるための表示データを生成する処理と、
ノズルから液体が噴射されるときのノズルの流量分布を演算して測定し、その結果を表示させるための表示データを生成する処理とをコンピュータに実行させるノズル特性シミュレーションプログラム。
【請求項２】
前記流量分布の形状に関するデータを入力する処理を実行可能な請求項１に記載のノズル特性シミュレーションプログラム。
【請求項３】
ノズルから液体が噴射されるときの衝突力分布と粒度分布を演算して測定し、その結果を表示させるための表示データを生成する処理を更に行う請求項１又は２に記載のノズル特性シミュレーションプログラム。
【請求項４】
前記測定結果を３次元グラフとして表示させるための表示データを生成する処理を行う請求項１〜３のいずれか１項に記載のノズル特性シミュレーションプログラム。
【請求項５】
同じノズルを等間隔に複数配置する場合の配列ピッチを入力することができ、複数ノズルから液体が噴射される様子を表示させるための表示データを生成する処理、噴射特性を測定して表示させるための表示データを生成する処理を行わせる請求項１〜４のいずれか１項に記載のノズル特性シミュレーションプログラム。
【請求項６】
請求項１〜５のいずれか１項に記載のノズル特性シミュレーションプログラムと、
ノズルメーカーの提供するノズルカタログに記載されたデータに基づき構築したデータベースと、
少なくとも、噴射圧力、噴射流量、スプレー角度、スプレーパターンを検索キーとして入力させることで、該当するノズルを前記データベースから抽出するデータベース検索手段と、
前記検索キーとして入力された数値を前記シミュレーションプログラムにおける入力された前記測定条件として処理する手段とをネットワークサーバー上に構築したことを特徴とするノズル特性シミュレーションシステム。
【発明の詳細な説明】
【技術分野】
【０００１】
本発明は、ノズルの噴射特性をシミュレーションすることができるプログラム及びシステムに関するものである。
【背景技術】
【０００２】
ノズルは様々な産業分野で使用されており、目的に応じて種々のタイプのノズルがある。実際にノズルを使用したいノズルユーザーは、ノズルカタログの中から特定のノズルを選定し、その選定したノズルの性能が目的に合致しているかどうかを予め確認する必要がある。かかる場合、実際にノズルを入手して配管に取り付け、噴射流量や噴射圧力（測定条件に相当）を設定してノズルから液体を噴射させる。このように、実際にノズルから液体を噴射させて、その様子を観察することや、ノズルの流量分布等の測定データを得ることで、選定したノズルを採用するか否かの判断を行う。
【０００３】
しかしながら、ノズルを実際に配管に取り付けて測定を行う方法は、条件を種々変更して測定を行う場合には特に時間がかかる作業となり煩雑である。例えば、ノズルの取り付け高さを変更したり、測定条件を変更してデータを取得しようとすると、多大な時間を要する。また、多数のノズルについて測定を行う場合にも、ノズルの種類に比例して測定時間が増大し、効率が悪いという問題がある。
【０００４】
これに対し、本願発明者による下記特許文献１には、ノズルのバーチャル実験室及びシミュレーションプログラムについて開示されている。この文献によれば、噴射条件（測定条件に相当）を入力することで３次元画像により実際に噴射を行っている状態を表示させることができる。しかしながら、単にノズルから液体が噴射される状態を画像として表示させるのみでは、充分なシミュレーションとはいえず、具体的なノズルの特性データについてもシミュレーションにより測定する必要がある。
【特許文献１】特開２００３−２２３８６号公報
【発明の開示】
【発明が解決しようとする課題】
【０００５】
本発明は上記実情に鑑みてなされたものであり、その課題は、測定条件を入力させてノズルから液体を噴射される様子をシミュレーションするだけでなくノズルの特性も合わせて測定できるようなノズル特性シミュレーションプログラム及びシミュレーションシステムを提供することである。
【課題を解決するための手段】
【０００６】
上記課題を解決するため本発明に係るノズル特性シミュレーションプログラムは、
測定条件として噴射圧力、噴射流量、スプレー角度、噴射距離、スプレーパターンの各データを入力する処理と、
入力された測定条件を演算処理することでノズルから液体が噴射される様子を３次元動画で表示させるための表示データを生成する処理と、
ノズルから液体が噴射されるときのノズルの流量分布を演算して測定し、その結果を表示させるための表示データを生成する処理とをコンピュータに実行させることを特徴とするものである。
【０００７】
かかるシミュレーションプログラムの作用・効果を説明する。シミュレーションを行うに際して、まず測定条件を入力する必要がある。ノズル特性を測定するには、噴射圧力、噴射流量、スプレー角度、噴射距離、スプレーパターンを入力する。これらは、ノズル特性を測定するために必要な基本的な入力データである。これらの測定条件により、ノズルから噴射される液体の動きを理論的に演算して求めることができるので、ノズルから液体が噴射される様子を３次元動画でモニター画面に表示させることができる。また、ノズルから液体が噴射されるときのノズルの流量分布を演算して測定することができる。この流量分布により、ノズルの特性をシミュレーションにより確認することができる。流量分布が満足いくものでなければ、測定条件を変更して容易にシミュレーションで確認することができ、実際に測定実験を行う場合に比べると、測定時間を大幅に短縮することができる。その結果、測定条件を入力させてノズルから液体を噴射される様子をシミュレーションするだけでなくノズルの特性も合わせて測定できるようなノズル特性シミュレーションプログラムを提供することができる。
【０００８】
本発明において、前記流量分布の形状に関するデータを入力する処理を実行可能なことが好ましい。例えば、同じスプレーパターンを有するノズルであっても、流量分布の形状が異なることがあるので、予め、流量分布の形状を指定することで、精度の良いシミュレーションを行うことができる。
【０００９】
本発明において、ノズルから液体が噴射されるときの衝突力分布と粒度分布を演算して測定し、その結果を表示させるための表示データを生成する処理を更に行うことが好ましい。
【００１０】
入力した測定条件に基づいて、衝突力分布や粒度分布を演算して表示させることができる。これにより、これらのノズル特性についても、シミュレーションにより測定できる。
【００１１】
本発明に係る前記測定結果を３次元グラフとして表示させるための表示データを生成する処理を行うことが好ましい。３次元グラフとすることで、測定結果の評価をより行い易くすることができる。
【００１２】
本発明において、同じノズルを等間隔に複数配置する場合の配列ピッチを入力することができ、複数ノズルから液体が噴射される様子を表示させるための表示データを生成する処理、噴射特性を測定して表示させるための表示データを生成する処理を行わせることが好ましい。
【００１３】
ノズルを使用する場合、１つだけではなく複数を等間隔に並べて配置することもある。その場合、複数ノズルから液体が噴射されるときの様子を表示できることが好ましい。また噴射特性として、例えば、流量分布を測定することで隣接するノズル同士の流量分布の重なり度合いをチェックすることができ、適切な配列ピッチをシミュレーションすることができる。満足する流量分布が得られなければ、配列ピッチを変更するなどして容易に確認することができる。
【００１４】
上記課題を解決するため本発明に係るノズル特性シミュレーションシステムは、
本発明に係るノズル特性シミュレーションプログラムと、
ノズルメーカーの提供するノズルカタログに記載されたデータに基づき構築したデータベースと、
少なくとも、噴射圧力、噴射流量、スプレー角度、スプレーパターンを検索キーとして入力させることで、該当するノズルを前記データベースから抽出するデータベース検索手段と、
前記検索キーとして入力された数値を前記シミュレーションプログラムにおける入力された前記測定条件として処理する手段とをネットワークサーバー上に構築したことを特徴とするものである。
【００１５】
ノズルカタログをベースとしてデータベースを構築する技術については、先にあげた特許文献１などにより公知となっている。かかるデータベースを基礎としてノズルの検索システムを構築することができ、噴射圧力、噴射流量、スプレー角度、スプレーパターンを検索キーとして、該当するノズルをデータベースから抽出することができる。また、この抽出されたノズルに関して、先ほど説明したシミュレーションプログラムを用いてノズル特性を測定することができる。その時の測定条件として、検索キーとして入力した数値をそのまま流用して処理することができる。従って、改めて測定条件を入力する必要がなく、入力間違いをすることもない。
【発明を実施するための最良の形態】
【００１６】
本発明に係るノズル特性シミュレーションプログラムの好適な実施形態を図面を用いて説明する。図１は、シミュレーションプログラム１の機能を示すブロック図である。
【００１７】
図１において、入力デバイス２は、シミュレーションを行うための種々のデータの入力などを行う。入力デバイス２は、キーボードやマウスなどにより構成される。測定条件入力手段３は、入力デバイス２を介して測定条件を入力させるための手段（入力画面）を提供する。測定条件は、ノズル特性の測定シミュレーションを行うために必要なデータであり、噴射圧力、噴射流量、スプレー角度、噴射距離、スプレーパターン、流量分布形状などである。液体噴射経路演算手段４は、入力された測定条件に基づいて、ノズルから噴射される液体の噴射経路を理論式に基づき演算する。
【００１８】
３次元動画データ生成手段５は、液体噴射経路演算手段４により演算された結果に基づいて、３次元動画として表示させるための表示データを生成とする。生成された動画データは、所定の形式の動画ファイルとして保存することができる。３次元静止画データ生成手段６は、液体噴射経路演算手段４により演算された結果に基づいて、３次元静止画として表示させるための表示データを生成する。コンピュータに対する負担（ＣＰＵの能力）に応じて、動画か静止画のいずれかで液体が噴射される様子を見ることができる。
【００１９】
流量分布演算手段７と、衝撃力演算手段８と、粒度分布演算手段９は、夫々、入力された測定条件に基づいて、流量分布、衝撃力分布、粒度分布を演算することができる。これら演算された結果を表示させるためのグラフ化処理手段１０を備えており、これにより、グラフ化するための表示データに変換する。このグラフ化データは、３次元静止画データ生成手段６に引き渡され、グラフを３次元表示させることができる。
【００２０】
動画表示用プログラム１１は、動画ファイルに基づいて動画を表示させるためのプログラムである。例えば、Shockwave（登録商標）を用いることができる。表示制御手段１２は、モニター１３に画像を表示させる機能を有し、表示用メモリとそのコントローラなどにより構成される。シミュレーションプログラム１は、通常のパソコンにインストールすることで使用することができる。
【００２１】
＜シミュレーション手順＞
次に、シミュレーションを行う場合の手順を図２のフローチャートと図3以下の画面構成例に基づいて説明する。まず、測定条件を入力する（＃１）。測定条件を入力する時の画面構成例を図3に示す。測定条件として、噴射圧力、噴射流量、スプレー角度、噴射距離を入力するための入力欄２０と、スプレーパターンを選択させるための入力欄２１とを有する。また、噴射圧力等を分かり易く示すためのイラスト表示領域２２が設けられる。噴射圧力等の測定条件は、欄内に具体的な数値を入力すればよい。なお、入力される数値の単位については、変更可能にしておくことが好ましい。スプレーパターンについては、１０種類のパターンをイラスト表示させており、いずれか１つを選択すればよい。以上の必要な測定条件の入力が終わると、実験開始ボタン２３をクリックする。これにより、液体噴射経路演算手段４の機能に基づいて、噴射される液体の経路が演算され、モニター画面に動画として液体を噴射する様子が表示される。なお、噴射される液体は、デフォルトでは水を設定しておき、他の種類の液体を選択できるようにしてもよい。
【００２２】
なお、流量分布の形状を指定できるように構成することが好ましい。これは同じスプレーパターンであっても、流量分布が異なることがあるからである。例えば、図２２にその具体例を示し、例えば、画面上に３つの流量分布のイラストを表示させて、いずれか１つを選択させるようにする。
【００２３】
図４と図５は、実際に動画として表示させているときの画面構成例を示す（＃３）。図４は、フルコーンノズルを選択した場合の例であり、図５は、フラットノズルを選択した場合の例である。この動画を表示させている時の画面において、測定開始ボタンをクリックすることで、ノズル特性についての測定を開始する。ここで、ノズル特性としては、流量分布、衝撃力分布、粒度分布である。
【００２４】
図６と図７は、図４，５のノズルについての測定結果を示す画面構成例を示す。図６において、領域３０には、測定条件として入力したデータが表示される（＃４，５）。そして、画面下方の各領域３１，３２，３３には、夫々流量分布グラフ、衝突力分布グラフ、粒度分布グラフが表示される。これらのグラフを作成するために、各演算手段７，８，９の機能と、グラフ化処理手段１０の機能が用いられる。これらのグラフのうち、流量分布と衝突力分布については、３次元のグラフとして表示されている。これにより、分布状態をより把握しやすい表示としている。
【００２５】
画面下方に設けられている「戻る」ボタン３４をクリックすると、３次元動画を表示する画面に戻ることができる。また、再実験ボタン３５をクリックすると、測定条件を変更して再度実験を行うことができる（＃６）。印刷ボタン３６をクリックすると、画面を印刷することができる。
【００２６】
図７に示すのは、図５のフラットノズルの場合の測定結果である。フラットノズルなので、流量分布と衝突力分布のグラフについては、３次元ではなく２次元表示としている。もちろん、フラットノズルの場合も３次元グラフとして表示させてもよい。
【００２７】
図６において示される各グラフは、表示させている大きさは大きくないが、これを大きく表示させることもできる。例えば、図６において、グラフとして表示されている領域をクリックすることで、図８や図９に示す拡大表示画面に移行することができる。図８は、流量分布グラフを拡大表示させた例であり、図９は衝突力分布グラフを拡大表示させた例である。他のグラフについても同様に可能である。
【００２８】
シミュレーションプログラム１には、視点変更支持手段１４が設けられており、３次元表示させる場合の視点を変更することができる。視点変更は、ノズルからの液体噴射画面だけでなく、３次元グラフの表示画面についても視点を変更することができる。視点変更は、例えば、画面上の任意の位置をマウスでクリックすることなどで行うことができる。
【００２９】
これまで説明して来たのは、ノズルを１つだけ設置した場合の噴射シミュレーションとノズル特性の測定シミュレーションであるが、ノズルを複数設置した場合のシミュレーションも行うことができる。図１０〜図１５は、ノズルを９個（３個×３個）配置した場合の、シミュレーション結果を示す例である。測定条件を入力する場合に、ノズルの配置パターンとノズルの配列ピッチを入力するようにする。ノズルの配列パターンとしては、同じノズルを何個×何個配置するかを任意に設定できることが好ましい。ただし、異なる種類のノズルを配置できるようにしてもよい。また、ノズルの配列ピッチを部分的に異なるように設定できるようにしてもよい。
【００３０】
図１０は、９個の同じノズルをすべて等間隔で配列した場合の、噴射シミュレーション（３次元動画）である。この時の流量分布グラフが図１１に示される。この流量分布グラフを見て配列ピッチが適切か否かを判断することができる。この測定結果を見て、再度測定条件（配列ピッチ）を入力しなおすことができる。図１２，１３は、配列ピッチを小さく変更した場合のシミュレーション結果を示す。図１３の流量分布グラフを見て分かるように、配列ピッチを短くしすぎたことが分かる。そこで、再度配列ピッチの入力をし直してシミュレーションを行った結果を図１４，１５に示す。図１５を見ても分かるように、流量分布が均一に近い状態になっていることが分かる。以上のように、適切な配列ピッチをシミュレーションにより求めることができる。
【００３１】
＜ノズル情報検索システムとの連携＞
これまで説明して来たのは、シミュレーションプログラム１をパソコンにインストールしてプログラム単独で使用する場合の構成例である。本発明に係るシミュレーションプログラム１は、ノズル情報検索システムと連携して使用することが可能である。ノズル情報検索システムとしては、例えば、先にあげた特許文献１に開示されるシステムを１例としてあげることができる。このシステムの全体構成例を図１６に示す。
【００３２】
このシステムは、データベースに構築されたノズル情報を提供する総合ノズルコンサルタント会社Ｃ（以下、コンサルタント会社と略し、サーバー管理者にも該当する。 ）の管理するサーバーシステム３０と、ノズルユーザーＡ（以下、単に「ユーザー」 と略す。）のクライアント装置３１とがインターネットＢ（ネットワークに相当する) により接続されている。クライアント装置３１は、一般的にはパソコンが使用され、インターネットに接続してホームページを閲覧するためのブラウザがインストールされている。また、ノズルメーカーＤのシステムにも接続されている。
【００３３】
サーバーシステム３０は、いわゆるＷｅｂサーバを中核として構成されるものであり、ノズル情報検索システムを利用するために種々のページ（サイト） を用意している。ページは、ＨＴＭＬファイルの形式でハードディスクに保存されている。また、サーバーシステムには、システム運用のために必要なソフトウェアとして、ＯＳ及び各種アプリケーションがインストールされている。また、世界各国のノズルメーカーが提供するノズルカタログの画像データ２１に基づいて、ノズル情報のデータベース２０を構築している。このデータベース２０の概要は、本出願人による前述の特許文献１あるいは特開２００４−２４６８１０号公報に開示されている。
【００３４】
先ほど述べたようにデータベース２０には、ノズルカタログに基づいてノズル情報をデータベース化しているが、例えば、ノズル仕様情報とノズル型番情報とを対応付けてデータベースに登録している。また、ノズル型番情報と、その型番に対応する圧力、流量、スプレー角度、スプレーパターン、材質等の仕様情報が登録される。従って、ユーザーの要望するスプレー角度の数値をキーワードとしてデータベース２０を検索することができる。また、各社のカタログ画像データ２１も入力されており、あるメーカーの型番が指定された場合は、その型番のノズルが掲載されているカタログの該当するページを検索することができるようになっている。これにより、ユーザーは、このデータベース２０を利用することで、世界のノズルメーカーのカタログ情報を取得することができる。
【００３５】
＜サーバーシステムの構成＞
次に、サーバーシステム３０の制御ブロック構成を図１７により説明する。送受信部２２は、ユーザー、コンサルタント会社等のパソコン（以下、外部パソコンと総称することがある。）からのアクセス要求に応じて、Ｗｅｂページ（ホームページ）データ（ＨＴＭＬデータ）や電子メールを送信する。また、外部パソコンにより入力されたデータ、電子メール等を受信する。この送受信部２２は、サーバーシステム３０を構成するコンピュータにインストールされるプログラム（ＯＳ等）や通信インターフェースにより構成することができる。
【００３６】
Ｗｅｂページ記憶部２３は、ＷｅｂページデータがＨＴＭＬファイルの形式で保存されている。Ｗｅｂページ処理部２４は、外部パソコンからのアクセス要求に応じて、Ｗｅｂページ記憶部２３に記憶されているＷｅｂページデータを送受信部２２を介して送信させる。また、ＣＧＩプログラムによる処理結果やデータベース２０の検索結果をＷｅｂページの形態に処理し（ＨＴＭＬデータを生成し）、外部パソコンへと送信する。
【００３７】
電子メール処理部２５は、外部パソコンから送信されてくる電子メールの処理、例えば、電子メールに書かれているデータの解析等を行う。解析結果に基づき、ＣＧＩプログラムが起動される。また、外部パソコンへ送信すべき電子メールの自動作成を行う。ＣＧＩシステム２６とは、サーバーが外部のプログラム（ＣＧＩプログラム）を呼び出して実行させる機能のことをいう。ＣＧＩシステム２６の中核をなすＣＧＩプログラムが多数格納されている。そのＣＧＩプログラムの代表的なものとして、ノズル特性シミュレーションプログラム１が格納されている。
【００３８】
データベース制御部２９は、ユーザーのパソコンから送信されてきたキーワード情報に基づいて、データベース２０の検索を行う。検索結果は、ＣＧＩシステム２６の機能により、Ｗｅｂページの形態でユーザーのパソコンに返信される。
【００３９】
Ｗｅｂページ記憶部２３には、Ｗｅｂページデータが多数格納されているが、本発明と特に関連するものについて図１７に示している。本検索システムでは、４つの検索方法を提供しており、具体的には、スタンダード検索、エキスパート検索、ノズル仕様検索、類似ノズル検索の４つである。そのための検索ページを提供する。これらの詳細は、前述の特開２００４−２４６８１０号公報に開示されている。
【００４０】
シミュレーションプログラム１は、既に説明したとおりであるが、ノズル情報検索システムと連携しており、具体的には、ノズル検索で入力した圧力、流量、スプレー角度、スプレーパターン等のデータは、そのままシミュレーションプログラム１に引き渡すことができる。そのためのデータ引渡し手段２４ａがＷｅｂページ処理部２４に設けられる。
【００４１】
＜スタンダード検索＞
前述した４つの検索方法のうち、スタンダード検索について図１８〜図２１により説明する。
【００４２】
スタンダード検索は、概略の検索条件を入力して、ノズル型番を多数検索する方法である。広範囲で多数のノズル型番を検索することができる。スタンダード検索では、３段階に分けて検索条件を入力可能である。すなわち、図１８は、スタンダード検索におけるステップ１の検索画面 (入力フォーム) である。
【００４３】
画面の上部には、入力済みの検索条件を表示する表示エリア４１が設けられている。ステップ１では、ノズルの分類を検索条件として入力する。あらかじめ、「液体用ノズル」「気体用ノズル」・・・のように分類がされており、ラジオボタンをクリックすれば、いずれか１つの分類を選択することができる。選択を終了すると、画面下にある「次ページ」ボタンをクリックすれば、ステップ２へ進む。
【００４４】
図１９は、スタンダード検索の第２ステップの検索画面 (入力フォーム) を示す図である。ステップ１と同様に表示エリア４１が設けられている。この表示エリア４１には、ステップ１で入力済みのノズルの分類として、「蒸気ノズル」が表示されている。これにより、過去に（別のステップで）入力した検索条件を確認することができる。ステップ１の条件を変更したい場合は、表示エリア４１の中で「Ｓｔｅｐ１」と表示された箇所をクリックすれば、先ほどの図１８の検索画面に戻ることができる。
【００４５】
ステップ２では、スプレーパターンを選択する。スプレーパターンは、ノズルの先端から外部に流体が噴射されるときの噴射パターンである。スプレーパターンの表現については、ノズルメーカーの間で統一されたものがなく、また、言葉で表現すること自体も難しい。従って、ユーザーに検索条件としてスプレーパターンを入力させる場合に、どのような形で入力させるかは重要である。また、ユーザーが入力しやすいような形態でなければならない。そこで、スプレーパターンをイラスト化して表示させるようにした。本願発明者は、世界各国のノズルカタログを検討し、全てのノズルを図１９に示すようにイラスト化されたスプレーパターンで分類した。夫々のスプレーパターンには、形状ＩＤも付している。なお、スプレーパターン断面が同じであっても、流体の噴射方向が異なる場合は、異なる分類として扱っている。言葉による説明だけでなく、スプレーパターンをイラスト化しているので、ユーザーは迷うことなく自分の要望するノズルのスプレーパターンを選択することができる。選択は、いずれか１つのラジオボタンをクリックすればよい。ステップ２の入力が終わると、「次ページ」 ボタンをクリックしてステップ３に進む。
【００４６】
図２０は、ステップ３の検索画面 (入力フォーム) の構成例を示す図である。ステップ３では、概略のノズル仕様を検索条件として入力する。他の、ステップ１，２の画面と同様に、表示エリア４１が設けられている。既に入力済みのノズルの分類とスプレーパターンをイラスト化したものが表示されている。表示エリア４１の機能は、すでに説明したのと同じである。
【００４７】
画面の下部にノズル仕様を入力するための入力フォームが示される。具体的には、噴射圧力と噴射流量とスプレー角度とを入力できる。噴射圧力を入力する入力欄４３と、単位を選択する入力欄４５とが設けられている。入力欄４３には、数値を入力する。単位については、メーカーやユーザーによって取り扱っている単位が異なっているので、選択できるようにした。なお、ユーザーの選択した単位と、メーカーのカタログ記載の単位とが異なっていたとしても、単位換算の演算処理を行って検索するようにしているので、選択した単位に依存して検索結果が異なることはないようにしている。噴射流量についても、単位を選択できる。なお、単位換算表と記載されているボタン４２をクリックすると、単位換算するためのページが別ウィンドウで表示される。このページで、単位換算を行うことができるので、ユーザーは必要に応じて利用すればよい。
【００４８】
また、噴射流量とスプレー角度については、許容範囲も入力できるような入力欄４４も設けている。これは、もし許容範囲を入れない場合は、入力した噴射圧力に対応する噴射流量及びスプレー角度を有するノズルが検索されない可能性が高くなるからである。つまり、ピンポイントの数値の検索では、ユーザーの要望する特性を有するノズルが存在するにもかかわらず、検索結果として抽出されないということがありうる。 そこで、本検索システムでは、許容範囲も入力させるようにして、確実に検索できるようにしている。
【００４９】
ステップ３の検索条件を入力し終わったら、検索開始ボタンをクリックすると、検索が行われる。なお、既に入力済みの検索条件のやり直しをする場合は、表示エリア４１の中にある該当する箇所をクリックすれば、選択したステップの検索画面のところに戻る。また、検索を実行するにあたり、ステップ１とステップ２とは必須項目であるが、ステップ３のノズル仕様については、入力しなくても検索を行うことができる。あるいは、ノズル仕様の一部のみを入力しても良い。これにより、広範囲にわたってノズルを検索することができる。
【００５０】
図２１は、スタンダード検索における検索結果の一覧表を表示する画面の構成例である。この画面においても、検索条件を表示する表示エリア４１が設けられている。機能は同じである。
【００５１】
一覧表は、画面の下部に示される。表の項目として、システムコード、メーカー、国籍、カタログ言語、メーカー型番、圧力値、単位、単位選択、流量値、単位、単位選択、スプレー角度が図示されている。図示の都合で示してはいないが、材質、ネジの規格・サイズ・オスメスの区別、バルブ、ストレーナについての項目も設けられる。このように、検索結果をノズル型番として抽出することができる。検索個数が多数の場合は、複数ページにわたって一覧表が作成される。ユーザーは、この検索結果を見て、新たに検索条件を入力したい場合は、画面の下にある「検索方法」の選択と記載されたボタンをクリックすればよい。この場合、入力した数値はクリアされる。また、検索結果を更に絞込みたい場合は、エキスパート検索に行くことができる。この場合も、画面下にある「エキスパート検索」 と記載されたボタンをクリックすればよい。
【００５２】
一覧表に表示されている各社のノズルのうちの、特定のノズル型番のノズルについて詳細に知りたい場合は、一覧表の中のメーカー型番の枠内（例えば、図番４６で示している箇所) をクリックすればよい。
【００５３】
また、図２１の画面の一番下には、シミュレーション画面へ移行するためのボタン４８がクリックされており、これをクリックすると図３の測定条件の入力画面に移行する。このとき、暗射圧力、噴射流量、スプレー角度、スプレーパターンについては、ノズルの検索を行う時に入力されたデータが、そのまま入力された状態になっている。従って、作業者は、これらのデータについて、同じデータを再度入力しなおす手間を省くことができる。もちろん、そのように自動設定されたデータを手動で任意に変更することは可能である。
【００５４】
ユーザーのパソコン３１には、予め動画表示用プログラム１１をダウンロードしておくことが好ましい。また、ユーザーのコンピュータ環境によっては動画ファイルをダウンロードする場合の負担が多い場合は、３次元静止画データ生成手段６（図１参照）の機能を利用して、静止画で噴射シミュレーションを行っても良い。なお、シミュレーションプログラム１は、パソコン３１にダウンロードして使用可能に構成してもよい。
【００５５】
＜別実施形態＞
（１）本発明の検索システムにおいて、サーバーシステムを１台のサーバー装置で構成するか複数台で構成するかは適宜選択できるものである。複数台で構成して機能を分散することにより、各サーバー装置の負担を軽減することができる。例えば、Ｗｅｂサーバ、データベース・サーバーのように分散することができる。複数のサーバーで構成する場合に、サーバーが設置される場所が分散されていても良い。
（２）測定条件や検索条件の入力形態については、特定の形態に限定されるものではない。プルダウンメニュー方式で選択する形態、入力欄 (ボックス) 内にキーボード等で入力する形態、ラジオボタン形式で選択する形態等を適宜用いることができる。どの項目をどのような入力形態にするかについても、任意に行うことができる。
（３）シミュレーションプログラムのプログラム言語については、特定の言語に限定されるものではない。また、シミュレーションプログラムは、ブラウザとは別に独立して動くものでもよいし、ブラウザと連携して動くものでも良い。
【図面の簡単な説明】
【００５６】
【図１】シミュレーションプログラムの機能を示すブロック図
【図２】シミュレーション手順を示すフローチャート
【図３】測定条件を入力する時の画面構成例を示す図
【図４】ノズルが液体を噴射する時の様子を示す画面構成例（フルコーンノズルの場合）
【図５】ノズルが液体を噴射する時の様子を示す画面構成例（フラットノズルの場合）
【図６】図４のノズルについてのノズル特性測定結果を示す画面構成例
【図７】図５のノズルについてのノズル特性測定結果を示す画面構成例
【図８】図６の流量分布グラフを拡大表示させた場合の画面構成例
【図９】図６の衝突力分布グラフを拡大表示させた場合の画面構成例
【図１０】９個のノズルを配置した場合の噴射シミュレーションを示す３次元動画の表示例
【図１１】図１０の噴射シミュレーションにおける流量分布を示す３次元画面の表示例
【図１２】９個のノズルを配置した場合の噴射シミュレーションを示す３次元動画の表示例
【図１３】図１２の噴射シミュレーションにおける流量分布を示す３次元画面の表示例
【図１４】９個のノズルを配置した場合の噴射シミュレーションを示す３次元動画の表示例
【図１５】図１４の噴射シミュレーションにおける流量分布を示す３次元画面の表示例
【図１６】ノズル情報検索システムのシステム構成を示す図
【図１７】サーバーシステムの構成を示す図
【図１８】スタンダード検索の入力画面を示す図（ステップ１）
【図１９】スタンダード検索の入力画面を示す図（ステップ２）
【図２０】スタンダード検索の入力画面を示す図（ステップ３）
【図２１】スタンダード検索の検索画面を示す図
【図２２】流量分布の形状例を示す図
【符号の説明】
【００５７】
１        シミュレーションプログラム
２        入力デバイス
３        測定条件入力手段
４        液体噴射経路演算手段
５        ３次元動画データ生成手段
６        ３次元静止画データ生成手段
７        流量分布演算手段
８        衝撃力分布演算手段
９        粒度分布演算手段
１０      グラフ化処理手段
１１      動画表示用プログラム
１２      表示制御手段
１３      モニター
１４      支点変更指示手段
２４ａ    データ引渡し手段
３０      サーバーシステム
３１      クライアント装置
【図１】
2006119721.tif 000003
【図２】
2006119721.tif 000004
【図３】
2006119721.tif 000005
【図４】
2006119721.tif 000006
【図５】
2006119721.tif 000007
【図６】
2006119721.tif 000008
【図７】
2006119721.tif 000009
【図８】
2006119721.tif 000010
【図９】
2006119721.tif 000011
【図１０】
2006119721.tif 000012
【図１１】
2006119721.tif 000013
【図１２】
2006119721.tif 000014
【図１３】
2006119721.tif 000015
【図１４】
2006119721.tif 000016
【図１５】
2006119721.tif 000017
【図１６】
2006119721.tif 000018
【図１７】
2006119721.tif 000019
【図１８】
2006119721.tif 000020
【図１９】
2006119721.tif 000021
【図２０】
2006119721.tif 000022
【図２１】
2006119721.tif 000023
【図２２】
2006119721.tif 000024